(57)【要約】【課題】ダストカバー内に封入されたグリースが外部に漏洩することを効果的に阻止するボールジョイント用ダストカバーを提供すること。【解決手段】ボールスタッドの一端に形成された球頭部がソケット内に保持され、前記ボールスタッドの他端の柄はナックルに締め付け固定され、一端大径開口部が前記ソケットの外周面に固定保持され、他端小径開口部が前記柄に保持されたゴム状弾性材製ボールジョイント用ダストカバーであって、前記ダストカバーの前記小径開口部が、前記柄外周面と密封接触している内周リップ部と、前記ナックルと密封接触しているダストシールとよりなるボールジョイント用ダストカバーにおいて、前記小径開口部にダストカバーの内方側に向って伸びるグリースリップを有する構成とした。【選択図】図２
2009024834.tif 000002
【特許請求の範囲】
【請求項１】
ボールスタッド（１）の一端に形成された球頭部（２）がソケット（３）内に保持され、前記ボールスタッド（１）の他端の柄（４）はナックル（５）に締め付け固定され、一端大径開口部（８）が前記ソケット（３）の外周面に固定保持され、他端小径開口部（１５）が前記柄（４）に保持されたゴム状弾性材製ボールジョイント用ダストカバー（６）であって、前記ダストカバー（６）の前記小径開口部（１５）が、前記柄（４）外周面と密封接触している内周リップ部（７）と、前記ナックル（５）と密封接触しているダストシール（１０）とよりなるボールジョイント用ダストカバーにおいて、前記小径開口部（１５）にダストカバー（６）の内方側に向って伸びるグリースリップ（９）を有することを特徴とするボールジョイント用ダストカバー。
【請求項２】
前記グリースリップ（９）が前記柄（４）の外周面に接する構成としていることを特徴とする請求項１記載のボールジョイント用ダストカバー。
【請求項３】
前記グリースリップ（９）が前記柄（４）に設けた段部（１２）の端面に接する構成としていることを特徴とする請求項１記載のボールジョイント用ダストカバー。
【請求項４】
前記グリースリップ（９）が、前記柄（４）の外周面に接するリップと、前記柄（４）に設けた段部（１２）の端面に接するリップとより構成されていることを特徴とする請求項１項に記載のボールジョイント用ダストカバー。
【請求項５】
前記小径開口部（１５）に補強リング（１１）が埋設されていることを特徴とする請求項１〜４のいずれか一項に記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては第１図に記載のボールジョイント用ダストカバーが知られている。
【０００３】
この種ボールジョイント用ダストカバーのシール構造は、ボールスタッド１の一端に形成された球頭部２がソケット３内に保持されている。
そして、ボールスタッド１の他端の柄４は、ナックル５に締め付け固定されている。
一方、ゴム状弾性材製ダストカバー６の一端が、ソケット３の外周面に固定保持され、他端が柄４に保持された構成となっている。
【０００４】
この種従来のダストカバー６は、図５に記載の構造を備えている。
すなわち、ダストカバー６の他端には、柄４外周面と密封接触している内周リップ部７００と、ナックル５の下面と密封接触しているダストシール１００とが設けられている。
更に、ダストカバー６の他端には、内周リップ部７００の外径に補強リング１１０が埋設されている。
【０００５】
しかし、この種ダストシール１００及び内周リップ部７００によっては、潤滑のためにダストカバー６内に封入されているグリースの漏洩を完全に防ぐことは難しかった。
なぜならば、ダストカバー６は、図１に示す様に、強制的に揺動回転させるため、ダストカバー６内の容積が変動する。
このため、ダストカバー６内の容積が減少する際、ダストカバー６内の圧力が上昇し、ダストカバー６内に封入されているグリースを強制的に外部に排出する作用が発生する。
そして、ダストカバー６内の圧力が上昇すると、グリースは、ダストシール１００及び内周リップ部７００を通過して、外部に漏洩する危険性が増大した。
【０００６】
すなわち、ダストシール１００は、外部からのダストの侵入は効果的に阻止できるが、ダストカバー６内の圧力が上昇すると、この圧力により径方向外方に変形し、図示しないナックルとの密接状態が解除される為である。
また、内周リップ部７００は、柄４外周面に、突接している態様のため、ダストカバー６内の圧力が上昇すると、グリースが漏洩する危険性があった。
このため、ダストカバー６内に封入されているグリースが漏洩損失した場合は、グリースを早期に補充しなければならない問題を惹起した。
【０００７】
【特許文献１】実開平７−１０５４３号公報
【発明の開示】
【発明が解決しようとする課題】
【０００８】
本発明は、このような課題に鑑みてなされたものであり、ダストカバー内に封入されたグリースが外部に漏洩することを効果的に阻止するボールジョイント用ダストカバーを提供することを目的とする。
【０００９】
また、本発明は、急激な揺動運動が繰り返されても内部に封入したグリースの漏洩を抑止できるボールジョイント用ダストカバーを提供することを目的とする。
【課題を解決するための手段】
【００１０】
本発明のボールジョイント用ダストカバーは、ボールスタッドの一端に形成された球頭部がソケット内に保持され、前記ボールスタッドの他端の柄はナックルに締め付け固定され、一端大径開口部が前記ソケットの外周面に固定保持され、他端小径開口部が前記柄に保持されたゴム状弾性材製ボールジョイント用ダストカバーであって、前記ダストカバーの前記小径開口部が、前記柄外周面と密封接触している内周リップ部と、前記ナックルと密封接触しているダストシールとよりなるボールジョイント用ダストカバーにおいて、前記小径開口部にダストカバーの内方側に向って伸びるグリースリップを有する構成とした。
【発明の効果】
【００１１】
本発明は、以下に記載されるような効果を奏する。
請求項１記載の発明のボールジョイント用ダストカバーによれば、ダストカバー内に封入されたグリースが外部に漏洩することを効果的に阻止出来る。
【００１２】
更に、請求項２記載の発明のボールジョイント用ダストカバーによれば、ダストカバー内に封入されたグリースが外部に漏洩することを、グリースリップと柄の外周面との間で達成することが出来る。
更に、請求項３記載の発明のボールジョイント用ダストカバーによれば、ダストカバー内に封入されたグリースが外部に漏洩することを、グリースリップと柄に設けた段部の端面との間で達成することが出来る。
【００１３】
更に、請求項４記載の発明のボールジョイント用ダストカバーによれば、一箇所のグリースリップが損傷したとしても、グリースの漏洩を確実に防止できる。
更に、請求項５記載の発明のボールジョイント用ダストカバーによれば、グリースリップを良好なシール状態が維持できる形態に保持できる。
【発明を実施するための最良の形態】
【００１４】
以下、本発明を実施するための最良の形態について説明する。
図２は、本発明に係る、ボールジョイント用ダストカバーの縦断面図である。
図３は、本発明に係る、他の実施例のボールジョイント用ダストカバーの縦断面図である。
図４は、図３のボールジョイント用ダストカバーを装着した状態を示した部分縦断面図である。
【００１５】
図１に例示される様に、本発明に係るボールジョイント用ダストカバーのシール構造は、ボールスタッド１の一端に形成された球頭部２がソケット３内に保持されている。
そして、ボールスタッド１の他端の柄４は、ナックル５に締め付け固定されている。
【００１６】
一方、ゴム状弾性材製ダストカバー６の一端側の大径開口部８が、ソケット３の外周面にスナップリング２２により固定保持され、他端側の小径開口部１５が柄４に保持された構成となっている。
そして、図２に示す様に、このダストカバー６の小径開口部１５には、柄４外周面と密封接触している内周リップ部７と、柄４の外周面と密封接触しているグリースリップ９と、ナックル５の下面と密封接触しているダストシール１０とが設けられている。
このグリースリップ９は、ダストカバー６の内方側に向って伸びている。
すなわち、このグリースリップ９は、柄４の外周面に接して、径方向外方に折り曲げられている。
【００１７】
このため、ダストカバー６内の容積が減少する際、ダストカバー６内の圧力が上昇し、ダストカバー６内に封入されているグリースを強制的に外部に排出しようとすると、このグリースの圧力が、グリースリップ９を更にナックル５下面に押圧するように作用するため、グリースが外部に漏洩することを効果的に阻止出来るものである。
【００１８】
更に、ダストカバー６の小径開口部１５には、内周リップ部７の外径側に補強リング１１が埋設されている。
そして、この補強リング１１は、金属材からプレス成形により製作される。
【００１９】
図３は、本発明に係る、他の実施例のボールジョイント用ダストカバーである。
この実施例では、グリースリップ９は、小径開口部１５の内周側の下端面に設けられており、径方向外方に向って伸びている。
そして、図４に示す様に、グリースリップ９は、ボールスタッド１の柄４に設けた段部１２の端面と接している。
このため、ダストカバー６内の容積が減少する際、ダストカバー６内の圧力が上昇し、ダストカバー６内に封入されているグリースを強制的に外部に排出しようとすると、このグリースの圧力が、グリースリップ９を、更に段部１２の端面に押圧するように作用するため、グリースが外部に漏洩することを効果的に阻止出来るものである。
【００２０】
尚、本発明では、グリースリップ９を一つ設ける態様としたが、図２乃至図３に示したグリースリップ９を組み合わせて、複数個も受ける態様とすることも出来る。
そして、この様な態様とした場合は、グリースが外部に漏洩することを、より効果的に阻止出来るものである。
【００２１】
以上のことから、本発明を実施するための最良の形態によれば、長期間安定したシール機能が発揮でき、結果として、長時間の使用に耐えうるボールジョイント用ダストカバーのシール構造とすることができる。
【００２２】
また、本発明は上述の発明を実施するための最良の形態に限らず本発明の要旨を逸脱することなくその他種々の構成を採り得ることはもちろんである。
【図面の簡単な説明】
【００２３】
【図１】ボールジョイント用ダストカバーのシール構造を示す断面である。
【図２】本発明に係る、ボールジョイント用ダストカバーの縦断面図である。
【図３】本発明に係る、他の実施例のボールジョイント用ダストカバーの縦断面図である。
【図４】図３のボールジョイント用ダストカバーを装着した状態を示した部分縦断面図である。
【図５】従来技術に係るボールジョイント用ダストカバーの断面図である。
【符号の説明】
【００２４】
１    ボールスタット
２    球頭部
３    ソケット
４    柄
５    ナックル
６    ダストカバー
７    内周リップ部
８    大径開口部
９    グリースリップ
１０  ダストシール
１１  補強リング
１５  小径開口部
【図１】
2009024834.tif 000003
【図２】
2009024834.tif 000004
【図３】
2009024834.tif 000005
【図４】
2009024834.tif 000006
【図５】
2009024834.tif 000007